(57)【特許請求の範囲】
【請求項１】
電柱に形成された孔部に嵌合される筐体と、
当該筐体に設けられ、柱上機器から前記電柱の内部に延びる第１柱内接地線が接続される第１内側端子と、
地中から前記電柱の内部に延びる第２柱内接地線が接続される第２内側端子と、
前記第１内側端子及び前記第２内側端子を電気的に接続及び切り離しのいずれかに切り替える導電部材と、
前記電柱の外部に配置される柱外接地線と前記第１内側端子及び前記第２内側端子の少なくともいずれかとを電気的に接続する外側端子と、
前記筐体に取り付けられ、前記第１内側端子、前記第２内側端子及び前記外側端子を覆う蓋体と、を備え、
前記外側端子は、Ｌ字状に形成され、前記筐体を前記孔部に嵌合させた状態において、前記柱外接地線が固定される端部が鉛直下方に延び、
前記蓋体は、前記電柱に嵌合された前記筐体に装着された場合に、鉛直下方に延びる前記柱外接地線を覆うように前記電柱に固定されるアースモールに連結する連結部を有し、
前記蓋体と前記アースモールとの一体化が可能であることを特徴とする接地用端子装置。
【請求項２】
前記蓋体は、前記電柱に嵌合された前記筐体に装着された場合に、前記柱外接地線を覆うように前記電柱に固定されるアースモールにおける前記電柱に対する突出幅以下の突出幅で前記電柱から突出することを特徴とする請求項１記載の接地用端子装置。
【発明の詳細な説明】
【技術分野】
【０００１】
本発明は、電柱の内部に配置される接地線の接地抵抗値を測定する際に用いられる接地用端子装置に関する。
【背景技術】
【０００２】
図６は、電柱２０１に対する各種の部材の配置例を示す説明図である。電柱２０１は、コンクリート柱であり、内部が空洞となった筒状の構造となっている。電柱２０１の上部には、腕金２０２取り付けられている。腕金２０２には、碍子を介して高圧線２０４が支持されている。
【０００３】
また、電柱２０１の上部には、変圧器支持台２０６が固定されており、この変圧器支持台２０６に変圧器２０７が載置されている。高圧線２０４の高圧は変圧器２０７により下げられて低圧とされた後に低圧線に与えられる。
【０００４】
変圧器２０７には、接地線２１４が接続されており、この接地線２１４は、電柱２０１の上部に形成された孔部から通され電柱２０１の内部に垂下される。電柱２０１の内部には接地線２１５が配置されており、接地線２１５の下端に接地金具が接続され、この接地金具が地中に埋設される。接地線２１４と接地線２１５とは、接地測定用端子２１０によって電気的に接続されている。接地測定用端子２１０は、電柱２０１の壁面に埋め込まれている。このように、変圧器２０７の接地端子が接地線２１４及び接地線２１５を介して接地されることで、安全の確保が行われている。
【０００５】
図７は、接地測定用端子２１０の外観を示す斜視図である。接地測定用端子２１０は、プラスチック製の筐体２１１の表側の中央部に孔部２１２が形成されている。この孔部２１２の底面の中央部から接地電極としての芯線２１３が露出している。筐体２１１の裏側には、芯線２１３に２本の接地線２１４，２１５が電気的に接続されている。
【０００６】
図８は、電柱２０１に接地測定用端子２１０が埋め込まれた状態を示す説明図である。接地測定用端子２１０は、筐体２１１の表面が電柱２０１の表面と面一となるように、埋め込まれている。
【０００７】
電力会社においては、定期的に、例えば３〜４年毎に、各電柱の接地抵抗を測定し、抵抗値が規格値以内に入っているか否かを検査している。このような接地抵抗の測定は、図示しない測定器の端子を、上述の接地測定用端子２１０の芯線２１３に接触させることによって行われる。しかし、場合によっては、接地線２１４、２１５を切り離して測定しなければならないこともある。
【０００８】
そこで、従来、接地測定用端子本体における電柱２０１の内部に位置する部位に配置される２つの接続端子と、この２つの接続端子に電柱２０１の外部からの作業によって着脱される導電部材とを備えた接地測定用端子がある。そして、電柱２０１内の接地線を切断し、この切断部分を２つの接続端子に接続し、２つの接続端子を導電部材によって導通させることにより、接地線の切断部分を導通させる。
これにより、接地抵抗の測定は、図示しない測定器の端子を導電部材に接触させることによって行うことができる。また、場合によっては、導電部材を取り外し、接地線を切り離して測定することも可能である。
【０００９】
ところで、接地抵抗の測定結果が不良の場合に、作業員は、変圧器と他の変圧器に架空共同地線を設け、他の変圧器の接地線を共用するという改修作業を行う。それでも改修できない場合に、作業員は、図９に示すように、電柱２０１の外面に、電柱外接地測定用端子２２０を取り付けて柱外接地線２２２を新設する。
【００１０】
柱外接地線２２２の新設おいて、作業員は、変圧器２０７の接地端子から延びる接地線２１４における電柱２０１の外部の所定部位を切断し、この切断部分に延長用の接地線２２１の両端部を接続する。これにより、接地線２２１は垂下する。次に、作業員は、接地線２２１の下部に電柱外接地測定用端子２２０を接続する。電柱外接地測定用端子２２０における接地側の端子には、接地線２２１とともに柱外接地線２２２を接続する。柱外接地線２２２は、電柱２０１の柱面に沿って垂下する。作業員は、柱外接地線２２２の先端部に接地金具を接続し、この接地金具を地中に埋設する。これにより、変圧器２０７が接地される。そして作業員は、電柱２０１に、柱外接地線２２２をカバーするアースモール２２４を固定する。
【００１１】
なお、従来のこの種の技術としては、特許文献１に記載された技術がある。特許文献１には、接地測定端子を電柱に装着した場合の態様について開示されている。
【先行技術文献】
【特許文献】
【００１２】
【特許文献１】特開２００８−２８６６１８号公報
【発明の概要】
【発明が解決しようとする課題】
【００１３】
ところで、電柱においては、地上２ｍまでの高さに人が昇柱する際の足場となり得る突起物を設けることができないように規定されている。図６に示す接地測定用端子２１０においては、外部に露出している部分が電柱表面と概ね面一であるため、接地測定用端子２１０は突起物ではない。このため接地測定用端子２１０は、地上２ｍの高さの範囲内に設けることが可能である。
【００１４】
しかし、図９に示す電柱外接地測定用端子２２０においては、電柱の表面上に設けられているため突起物として扱われるおそれがある。このため電柱外接地測定用端子２２０は、地上２ｍの高さの範囲内に設けることができない。
【００１５】
このように、従来、電柱外接地測定用端子は、地上２ｍの高さの範囲内に設けることができないため、例えば、接地測定用端子を用いて電柱内に配置された接地線の抵抗値の測定結果が不良であれば、図９に示すように電柱外接地測定用端子２２０を用いた接地に改修する場合がある。この際、電柱外接地測定用端子２２０は、地上２ｍの高さより高い位置に設けるため、電柱外接地測定用端子２２０の設置作業は脚立や昇降用の足場を用いた柱上作業となり、困難性が高い作業となる。更に、電柱外接地測定用端子２２０を利用した接地抵抗の測定作業についても柱上作業となり、困難性が高い作業となる。
【００１６】
本発明は、このような問題点を解決し、接地抵抗値が不良の場合の改修作業や接地抵抗値の測定作業を容易に行うことが可能な接地用端子装置を提供することを目的とする。
【課題を解決するための手段】
【００１７】
前記目的を達成するため、本発明は、次に記載する構成を備えている。
【００１８】
（１）  電柱に形成された孔部に嵌合される筐体と、当該筐体に設けられ、柱上機器から前記電柱の内部に延びる第１柱内接地線が接続される第１内側端子と、地中から前記電柱の内部に延びる第２柱内接地線が接続される第２内側端子と、前記第１内側端子及び前記第２内側端子を電気的に接続及び切り離しのいずれかに切り替える導電部材と、前記電柱の外部に配置される柱外接地線と前記第１内側端子及び前記第２内側端子の少なくともいずれかとを電気的に接続する外側端子と、前記筐体に取り付けられ、前記第１内側端子、前記第２内側端子及び前記外側端子を覆う蓋体と、を備えることを特徴とする接地用端子装置。
（１）によれば、接地線を新設する工事を、外側端子に柱外接地線を接続して蓋体を取り付けるという簡単な作業で、手早く、安全に行うことが可能になる。
【００１９】
（２）  （１）において、前記蓋体は、前記電柱に嵌合された前記筐体に装着された場合に、前記柱外接地線を覆うように前記電柱に固定されるアースモールにおける前記電柱に対する突出幅以下の突出幅で前記電柱から突出することを特徴とする接地用端子装置。
【００２０】
（２）によれば、接地用端子装置の電柱に対する突出幅が、従来、地上２ｍまでの高さにおいて認められていたアースモールにおける電柱に対する突出幅と同等あるいはそれより小さいため、地上２ｍまでの高さに設置可能な接地用端子装置を提供することが可能になる。このため、接地抵抗値が不良の場合の改修作業や接地抵抗値の測定作業を地上で行うことが可能になる。これにより、作業員における作業性及び安全性を向上させることが可能になる。
【００２１】
（３）  （２）において、前記蓋体は、前記アースモールに連結する連結部を有することを特徴とする接地用端子装置。
【００２２】
（３）によれば、蓋体とアースモールとの一体化が可能になり、蓋体による突出部分をアースモールの一部と見なすことが可能になる。
【発明の効果】
【００２３】
本発明によれば、電柱の接地作業や接地抵抗の測定作業を容易に行うことが可能な接地用端子装置を提供することが可能になる。
【図面の簡単な説明】
【００２４】
【図１】本発明の一実施形態における接地用端子装置１及びその周辺の外観を示す斜視図である。
【図２】本発明の一実施形態に係る接地用端子部５の外観を示す斜視図である。
【図３】本発明の一実施形態に係る接地用端子部５を電柱２０１に装着した際の外観を示す斜視図である。
【図４】本発明の一実施形態における接地用端子装置１を電柱２０１に装着した際の外観を示す斜視図である。
【図５】本発明の一実施形態における接地用端子装置１を用いた接地線の配線例を示す説明図である。
【図６】従来における接地線の配線例を示す説明図である。
【図７】従来における接地測定用端子２１０の外観を示す斜視図である。
【図８】従来における接地測定用端子２１０を電柱２０１に装着した状態を示す説明図である。
【図９】図６に示す接地線の接地抵抗の測定結果が不良の場合の対処例を示す説明図である。
【発明を実施するための形態】
【００２５】
以下、本発明の一実施形態について、図面を参照しながら詳細に説明する。
図１は、本発明の一実施形態における接地用端子装置１の外観及びその周辺を示す斜視図、図２は、接地用端子装置１の外観を示す図であり、図２（ａ）は正面図、図２（ｂ）は側面図である。
【００２６】
接地用端子装置１は、接地用端子部５と、蓋体２０と、によって構成される。
接地用端子部５は、筐体１０と、第１内側端子１２と、第２内側端子１４と、導電部材に相当する金属板１６と、外側端子１８と、蓋体２０と、を備えている。
【００２７】
筐体１０は、底面が小判形状の柱体であり、電柱２０１に相当する電柱２０１の側面に形成された小判形の孔部２３０に嵌合される。なお、以下の説明の便宜上、筐体１０における電柱２０１の外部側の底面を外面、筐体１０における電柱２０１の内部側の底面を内面と称することにする。筐体１０の外面における長手方向に沿った両側部には、延在片１０ａ、１０ａが柱体の高さ方向に立設している。
【００２８】
第１内側端子１２及び第２内側端子１４は、板状の導電性部材（図示せず）と、板状の導電性部材（図示せず）を筐体１０に固定するためのねじ１２ａ、１２ｂ、１４ａ、１４ｂとからなる。導電性部材（図示せず）は、筐体１０内に並べて収納されている。二本の導電性部材（図示せず）の一端部は、筐体１０の側面における内面側の端部から露出しており、ワッシャを介してそれぞれねじ１２ａ、１４ａによって筐体１０に固定されている。二本の導電性部材（図示せず）の他端部は、筐体１０の外面から露出しており、ワッシャを介してそれぞれねじ１２ｂ、１４ｂによって筐体１０に固定されている。
【００２９】
金属板１６は、第１内側端子１２及び第２内側端子１４に着脱自在に設けられ、第１内側端子１２及び第２内側端子１４を電気的に接続及び遮断のいずれかに切り替える導電部材である。金属板１６は、一端部がＵ字形に形成されており、中央部に長孔１６ａが形成されており、他端部がＬ字形の曲げが施されている。金属板１６の一端部にねじ１２ｂを係合させ、長孔１６ａにねじ１４ｂを通し、ねじ１２ｂ、１４ｂを締め付けることにより、内側端子１２及び第２内側端子１４が金属板１６によって電気的に接続された状態が維持される。また、ねじ１２ｂ、１４ｂを緩め、金属板１６を長孔１６ａに沿ってスライド移動させ、金属板１６の一端部とねじ１２ｂとの係合状態を解除することにより、内側端子１２及び第２内側端子１４が電気的に接続された状態を解除することが可能である。
【００３０】
外側端子１８は、板状の導電性部材に曲げを施してＬ字形に形成したものであり、外側端子１８の金属板１６の他端部に接続される。外側端子１８は、筐体１０の外面から直角に突出し、他端部が第１内側端子１２側の反対側に延びている。また、他端部側の先端部には、導体圧着スリーブ部３０が形成されている。導体圧着スリーブ部３０は、新たな柱外接地線５０が挿入可能なＣ字形の管状に形成されており、導体圧着スリーブ部３０に柱外接地線５０（図３参照）の端部を挿入して導体圧着スリーブ部３０を圧縮することによって、柱外接地線５０が外側端子１８に固定される。
【００３１】
蓋体２０は、断面形状がＵ字形の長尺部材からなり、一端部は球状に形成されている。このため蓋体２０の一端部は閉鎖されている。蓋体２０の一端部の円弧部分から延在片２０ａが延在している。また、蓋体２０の延在片２０ａの両側部の近傍に、延在片２０ｂ、２０ｂが延在している。蓋体２０は、延在片２０ｂ、２０ｂを延在片１０ａ、１０ａの内側に当接させ、延在片１０ａ、１０ａにおけるねじ１２ｂ側の開放部分に延在片２０ａを配置することにより、筐体１０に連結することが可能である。
また、蓋体２０の他端部は、柱外接地線５０を覆うアースモール５２（図４参照）に連結する連結部２２を有している。
【００３２】
また蓋体２０は、電柱２０１の孔部２３０に嵌合された筐体１０に装着された場合に、蓋体２０における電柱２０１に対する突出幅が、アースモール５２における電柱２０１に対する突出幅以下となるように、蓋体２０の突出幅が設定されている。
【００３３】
図３は、接地用端子装置１が電柱２０１の孔部２３０に嵌合された状態を示す斜視図である。
【００３４】
接地用端子装置１を電柱２０１に装着する場合に、作業員は、まず、電柱２０１内部の接地線２１４（図１参照）をねじ１２ａによって第１内側端子１２に電気的に接続するとともに、第１内側端子１２を筐体１０に固定する。同様に、電柱２０１内部の接地線２１５をねじ１４ａ（図１参照）によって第２内側端子１４に電気的に接続するとともに、第１内側端子１２を筐体１０に固定する。
【００３５】
次に、作業員は、筐体１０を孔部２３０に嵌合させる。この時、延在片１０ａ、１０ａの端面が、電柱２０１の表面と面一になるように押し込む。筐体１０を孔部２３０に嵌合させた状態において、ねじ１２ｂ、１４ｂ及び外側端子１８が上下方向に並び、外側端子１８の他端部がねじ１４ｂの下方に配置され、鉛直下方に延びている。
【００３６】
次に、作業員は、導体圧着スリーブ部３０に柱外接地線５０の一端部を挿入して導体圧着スリーブ部３０を圧縮することによって、柱外接地線５０を外側端子１８に固定する。これにより、柱外接地線５０は鉛直下方に延びる。柱外接地線５０の他端部には接地金具（図示せず）を接続し、この接地金具を埋設する。
【００３７】
そして、作業員が、蓋体２０を筐体１０に装着することによって、図４に示すように、第１内側端子１２、第２内側端子１４、金属板１６及び外側端子１８が、蓋体２０によって覆われる。更に、作業員が、蓋体２０にアースモール５２を連結することにより、柱外接地線５０がアースモール５２によって保護される。
【００３８】
図５は、本実施形態における接地用端子装置１を用いた接地線の配線例を示す説明図である。例えば、図６に示す接地線において接地抵抗値を測定し、接地抵が不良であると判定した場合に、作業員は、接地測定用端子２１０を、図１に示す接地用端子装置１に付け替える。更に、図３、図４に示すように、接地用端子装置１に柱外接地線５０を接続し、アースモール５２を取り付けることにより、接地線の改修作業が完了する。この場合、図５に示すように、従来の改修作業において用いられた電柱外接地測定用端子２２０（図９参照）及び接地線２２１を省略することが可能になる。
【００３９】
また、接地用端子装置１において、電柱２０１の外側に最も突出している部分は蓋体２０であり、この蓋体２０はアースモール５２と同じ突出幅であることから、蓋体２０はアースモール５２と同等であると見なすことが可能である。このため、従来の接地測定用端子２１０を本実施形態の接地用端子装置１に付け替えることが可能となる。
【００４０】
また、接地抵抗値を測定する際には、蓋体２０を取り外し、図示しない測定器の端子を金属板１６に接触させることによって行うことができる。また、接地線を切り離す場合には、ねじ１２ｂ、１４ｂを緩め、金属板１６を長孔１６ａに沿ってスライド移動させることによって切り離すことが可能である。
【００４１】
以上説明したように構成された本実施形態によれば、接地線を新設する工事において、図９に示す、従来技術のように、変圧器２０７から延びる接地線２１４が電柱２０１の内部に入り込むまでの間に接地線２２１を接続するという作業が必要なくなり、外側端子１８に柱外接地線５０を接続して蓋体２０を取り付けるという簡単な作業で、手早く、安全に行うことが可能になる。
【００４２】
また本実施形態によれば、接地用端子装置１の電柱２０１に対する突出幅が、従来、地上２ｍまでの高さにおいて認められていたアースモール５２における電柱２０１に対する突出幅と同等あるいはそれより小さいため、地上２ｍまでの高さに設置可能な接地用端子装置を提供することが可能になる。このため、接地抵抗値が不良の場合の改修作業や接地抵抗値の測定作業を地上で行うことが可能になり、作業員における作業性及び安全性を向上させることが可能になる。
【００４３】
また本実施形態によれば、蓋体２０が、アースモール５２に連結可能であるため、蓋体２０とアースモール５２との一体化が可能になり、蓋体２０による突出部分をアースモール５２の一部と見なすことが可能になる。これにより、地上２ｍまでの高さに設置可能な接地用端子装置を提供することが可能になる。
【００４４】
以上、本発明の実施形態について説明したが、本発明の実施形態は、上述した実施形態に限るものではない。例えば、上述した実施形態によれば、蓋体２０における電柱２０１に対する突出幅が、アースモール５２における電柱２０１に対する突出幅と同等であるが、蓋体２０は、アースモール５２の突出幅以下となるのであれば適用可能である。
【符号の説明】
【００４５】
１  接地用端子装置
５  接地用端子部
１０  筐体
１０ａ  延在片
１２  第１内側端子
１２ａ、１２ｂ、１４ａ、１４ｂ  ねじ
１４  第２内側端子
１６  金属板
１６ａ  孔部
１８  外側端子
２０  蓋体
２２  連結部
３０  導体圧着スリーブ部
５０  柱外接地線
５２  アースモール
２０１  電柱
２０２  腕金
２０４  高圧線
２０６  変圧器支持台
２０７  変圧器
２１０  接地測定用端子
２１１  筐体
２１２  孔部
２１３  芯線
２１４、２１５  接地線
２２０  電柱外接地測定用端子
２２１  延長用の接地線
２２２  柱外接地線
２３０  孔部
【図１】
0006536048.tif 000002
【図２】
0006536048.tif 000003
【図３】
0006536048.tif 000004
【図４】
0006536048.tif 000005
【図５】
0006536048.tif 000006
【図６】
0006536048.tif 000007
【図７】
0006536048.tif 000008
【図８】
0006536048.tif 000009
【図９】
0006536048.tif 000010